(57)【要約】  本発明はロングタームエボリューションネットワーク環境で、ネットワークインターフェースを通して、マシンタイプ通信(ＭＴＣ)デバイスと関連づけられたパケットデータユニットを送信する方法及びシステムを提供する。一実施形態で、一つ以上のＭＴＣデバイスと関連づけられたＰＤＵは、第１のネットワークエンティティにより所定の期間の間に集積される。その後、一つ以上のＭＴＣデバイスと関連づけられた集積されたＰＤＵは、ＧＴＰパケットデータユニットに連接され、ここで、ＧＴＰパケットデータユニットのＧＴＰヘッダは、集積されたＰＤＵ表示、集積されたＰＤＵの数、及び集積されたＰＤＵ各々の長さを含む。集積されたＰＤＵを含むＧＴＰ ＰＤＵは、第１のネットワークエンティティ及び第２のネットワークエンティティを接続するＳ１−Ｕ／Ｓ５インターフェースを通して単一Ｓ１−Ｕ／Ｓ−５ベアラ上で、第２のネットワークエンティティに送信される。
2013543331.tif 000002
【特許請求の範囲】
【請求項１】
ロングタームエボリューションネットワーク環境において、第１のネットワークエンティティにより、一つ以上のマシンタイプ通信(ＭＴＣ)デバイスと関連づけられたパケットデータユニット(ＰＤＵ)を集積するステップと、
一つ以上の前記ＭＴＣと関連づけられた集積された前記ＰＤＵをＧＰＲＳトンネルプロトコル(ＧＴＰ)パケットデータユニットに連接させるステップと、
連接された前記ＰＤＵを含む前記ＧＴＰ ＰＤＵを前記第１のネットワークエンティティ及び第２のネットワークエンティティを接続するネットワークインターフェースを通して、前記第２のネットワークエンティティに送信するステップとを含むことを特徴とする方法。
【請求項２】
前記第１のネットワークエンティティにより、一つ以上のマシンタイプ通信(ＭＴＣ)デバイスと関連づけられたパケットデータユニット(ＰＤＵ)を集積するステップは、
前記第１のネットワークエンティティ及び前記第２のネットワークエンティティを接続する前記ネットワークインターフェースが過負荷になることを示す通知を呼出確立手続きの間に移動性管理エンティティから受信するステップと、
前記通知に基づいて、前記第１のネットワークエンティティにより、前記一つ以上のＭＴＣデバイスと関連づけられた前記パケットデータユニット(ＰＤＵ)を集積するステップと、を含むことを特徴とする請求項１に記載の方法。
【請求項３】
前記一つ以上のＭＴＣと関連づけられた前記集積されたＰＤＵをＧＴＰパケットデータユニットに連接させるステップは、
前記ＧＴＰ ＰＤＵのＧＴＰヘッダで、集積されたＰＤＵ表示、集積されたＰＤＵの数、及び集積されたＰＤＵ各々の長さをエンコーディングするステップと、
前記ＧＴＰ ＰＤＵのＧＴＰペイロードで、集積された前記ＰＤＵを連接させるステップと、を含むことを特徴とする請求項１に記載の方法。
【請求項４】
前記第１のネットワークエンティティ及び前記第２のネットワークエンティティは、進化したノードＢ、サービングゲートウェイ、及びＰＤＮゲートウェイからなるグループから選択されることを特徴とする請求項１に記載の方法。
【請求項５】
連接された前記ＰＤＵを含む前記ＧＴＰ ＰＤＵを前記第１のネットワークエンティティ及び第２のネットワークエンティティを接続するネットワークインターフェースを通して、前記第２のネットワークエンティティに送信するステップで、前記ネットワークインターフェースは、Ｓ１−Ｕインターフェース及びＳ５インターフェースからなるグループから選択されることを特徴とする請求項４に記載の方法。
【請求項６】
集積された前記ＰＤＵを含む前記ＧＴＰ ＰＤＵを前記ネットワークインターフェースを通して、前記第２のネットワークエンティティに送信するステップは、集積された前記ＰＤＵを含む前記ＧＴＰ ＰＤＵを単一Ｓ１−Ｕ／Ｓ５ベアラ上で、前記Ｓ１−Ｕ／Ｓ５インターフェースを通して、前記第２のネットワークに送信するステップを含むことを特徴とする請求項５に記載の方法。
【請求項７】
一つ以上の前記ＭＴＣデバイスが前記第１のネットワークエンティティで集積されることを移動性管理エンティティに通知するステップをさらに含むことを特徴とする請求項１に記載の方法。
【請求項８】
前記第１のネットワークエンティティで、一つ以上の前記ＭＴＣデバイスと関連づけられたＰＤＵを集積させるための通知を移動性管理エンティティから受信するステップをさらに含むことを特徴とする請求項１に記載の方法。
【請求項９】
一つ以上の前記ＭＴＣデバイスと関連づけられたＰＤＵを連接させる一つ以上の前記ＭＴＣデバイスをグループ化するステップをさらに含むことを特徴とする請求項１に記載の方法。
【請求項１０】
プロセッサと、
前記プロセッサにカップリングされたメモリと、を含み、
前記メモリは、
ロングタームエボリューションネットワーク環境で、一つ以上のマシンタイプ通信(ＭＴＣ)デバイスと関連づけられたパケットデータユニット(ＰＤＵ)を集積し、一つ以上の前記ＭＴＣと関連づけられた集積された前記ＰＤＵをＧＰＲＳトンネルプロトコル(ＧＴＰ)パケットデータユニットに連接させ、
連接された前記ＰＤＵを含む前記ＧＴＰ ＰＤＵをＳ１−Ｕ／Ｓ５インターフェースを通してネットワークエンティティに送信するように構成されたＰＤＵ連接モジュールを含むことを特徴とする装置。
【請求項１１】
前記ＰＤＵ連接モジュールは、前記Ｓ１−Ｕ／Ｓ５インターフェースが過負荷になることを示す通知を呼出確立手続きの間に移動性管理エンティティから受信し、前記通知に基づいて、一つ以上の前記ＭＴＣデバイスと関連づけられた前記ＰＤＵを集積することを特徴とする請求項１０に記載の装置。
【請求項１２】
前記ＰＤＵ連接モジュールは、前記ＧＴＰ ＰＤＵのＧＴＰヘッダで、集積されたＰＤＵ表示、集積されたＰＤＵの数、及び集積された前記ＰＤＵ各々の長さをエンコーディングし、前記ＧＴＰ ＰＤＵのＧＴＰペイロードで前記集積されたＰＤＵを連接させることを特徴とする請求項１０に記載の装置。
【請求項１３】
集積された前記ＰＤＵを含む前記ＧＴＰ ＰＤＵをＳ１−Ｕ／Ｓ５インターフェースを通してサービングゲートウェイに送信することにおいて、前記ＰＤＵ連接モジュールは、連接された前記ＰＤＵを含む前記ＧＴＰ ＰＤＵを単一Ｓ１−Ｕ／Ｓ５ベアラ上で、前記Ｓ１−Ｕ／Ｓ５インターフェースを通して、前記ネットワークエンティティに送信することを特徴とする請求項１０に記載の装置。
【請求項１４】
前記ＰＤＵ連接モジュールは、一つ以上の前記ＭＴＣデバイスと関連づけられたＰＤＵが集積されることを移動性管理エンティティに通知するように構成されることを特徴とする請求項１０に記載の装置。
【請求項１５】
前記ＰＤＵ連接モジュールは、一つ以上の前記ＭＴＣデバイスと関連づけられたＰＤＵを集積させるための命令を移動性管理エンティティから受信するように構成されることを特徴とする請求項１０に記載の装置。
【請求項１６】
前記ＰＤＵ連接モジュールは、一つ以上の前記ＭＴＣデバイスと関連づけられたＰＤＵを連接させるために一つ以上の前記ＭＴＣデバイスをグループ化するように構成されることを特徴とする請求項１０に記載の装置。
【請求項１７】
前記ネットワークエンティティは、進化したノードＢ、サービングゲートウェイ、及びＰＤＮゲートウェイからなるグループから選択されることを特徴とする請求項１０に記載の装置。
【発明の詳細な説明】
【技術分野】
【０００１】
本発明は、マシンタイプ通信（ＭＴＣ）システムの分野に関し、より具体的には、ロングタームエボリューションネットワーク環境で、ネットワークインターフェースを通してＭＴＣデバイスと関連付けられたパケットデータユニット（ＰＤＵ）を送信することに関する。
【背景技術】
【０００２】
ロングタームエボリューション（ＬＴＥ）システムは、進化したノードＢ（ｅＮＢ）を通して、コアネットワークまたはＭＴＣサーバとパケットスイッチング（ＰＳ）データとを通信するために、レガシーデバイスだけでなく、マシンタイプ通信（ＭＴＣ）デバイスをサポートする無線ネットワークシステムのタイプである。通常、ＬＴＥでは、ｅＮＢは、レガシーデバイス／ＭＴＣデバイスから受信されたＰＳデータをＳ１−Ｕインターフェースを通して、サービングゲートウェイと通信し、その反対の場合も可能である。
【０００３】
マシンツーマシン（Ｍ２Ｍ）通信(または“マシンタイプ通信”または“ＭＴＣ”と称する)は、レガシーデバイスと異なり、（ＭＴＣデバイスとして一般的に知られた)人間の相互作用を必ずしも必要としないデバイス間のデータ通信の形態である。例えば、Ｍ２Ｍ通信で、(センサまたはスマートメータのような）ＭＴＣデバイスは、分析及び必要なアクションのために、ＭＴＣサーバに常駐するアプリケーションにｅＮＢを通して中継されるイベントデータをキャプチャすることもできる。Ｍ２Ｍ通信は(例えば、電力、ガス、水、熱、グリッド制御、及び産業用計量と関連したアプリケーションで)スマート計量システム、監視システム、注文管理、ゲームマシン、及び健康管理通信のような多様な領域で使用されてもよい。追加で、マシンタイプ通信（ＭＴＣ）技術に基づいたＭ２Ｍ通信は、消費者サービスのような領域で使用されてもよい。
【０００４】
通常、ＬＴＥシステムは、ほとんどアクセスネットワーク及びコアネットワークからなる。アクセスネットワークは、ＭＴＣデバイスに接続されたｅＮＢを含み、コアネットワークは、移動性管理エンティティ(ＭＭＥ)、サービングゲートウェイ、及びパケットデータネットワーク(ＰＤＮ)ゲートウェイのような複数のネットワークエンティティからなる。これらネットワークエンティティの各々はマルチベンダー相互運用性を許容するために標準化されたインターフェースを通してお互いに接続される。例えば、ｅＮＢ及びサービングゲートウェイは、Ｓ１−Ｕインターフェースを通して接続され、サービングゲートウェイ及びＰＤＮゲートウェイは、Ｓ５インターフェースを通して接続される。コアネットワークが処理できることより、通常のネットワーク配置の方がより多いアクセスネットワークリソースを提供することができることに留意すべきである。アクセスネットワークによるネットワーク混雑及びコアネットワークによるネットワーク混雑は相異することが分かる。
【発明の概要】
【発明が解決しようとする課題】
【０００５】
複数のＭＴＣデバイスの配置の増加で、コアネットワークは複数のＭＴＣデバイス(数千程度）をサポートすると予想される。しかしながら、ｅＮＢがＭＴＣデバイスと関連づけられた(２０ＫＢサイズの)複数の小さなＰＤＵをＳ１−Ｕインターフェースを通してサービングゲートウェイに送信する時に、Ｓ１−Ｕインターフェースは過負荷がかかることがあって、コアネットワークの詰まりをもたらす。これは、サービングゲートウェイが複数の小さなサイズのＰＤＵをＳ５インターフェースを通してＰＤＮゲートウェイに送信する場合に同一になることができる。
【課題を解決するための手段】
【０００６】
本発明は、ロングタームエボリューションネットワーク環境で、マシンタイプ通信デバイスのパケットデータユニットを送信する方法及びシステムを提供する。
【図面の簡単な説明】
【０００７】
【図１】一実施形態によるロングタームエボリューション（ＬＴＥ）システムのブロック図を例示する。
【図２】一実施形態による呼出確立手続き間に集積パケットデータユニット(ＰＤＵ)表示を通知する例示的な方法を示すフローチャートである。
【図３】一実施形態によるアップリンク方向で一つ以上のマシンタイプ通信(ＭＴＣ)デバイスと関連づけられたＰＤＵを送信する例示的な方法を示す処理フローチャートである。
【図４】他の実施形態によるＳ１インターフェースを通してＭＴＣデバイスと関連づけられたＰＤＵを送信する例示的な方法を示す処理フローチャートである。
【図５】一実施形態による連接されたＰＤＵを含むＧＰＲＳトンネルプロトコル（ＧＴＰ）ＰＤＵのＧＴＰヘッダの概略的表現を示す。
【図６】一実施形態による連接されたＧＴＰ−Ｕ ＰＤＵヘッダの概略的表現を示す。
【図７】本発明の実施形態を具現する多様なコンポーネントを図示する進化したノードＢのブロック図を示す。
【発明を実施するための形態】
【０００８】
ここに説明された図面は、単に例示のためであって、本開示物の範囲を制限するものではない。
【０００９】
本発明の実施形態の下記の詳細な説明で、本発明の一部を形成し、本発明の実施可能な例示的な特定の実施形態として図示される添付図面を参照する。これら実施形態は、当業者が本発明を実施することができるように詳細に説明され、他の実施形態が活用されることもでき、本発明の範囲及び趣旨を逸脱することなく、様々な変形及び変更が可能であることは、当該技術分野における通常の知識を持つ者には明らかである。したがって、以下の詳細な説明は制限する観点で取られず、本発明の範囲は添付した請求項だけにより定義される。
【００１０】
図１は、一実施形態によるロングタームエボリューション(ＬＴＥ)システム１００のブロック図を示す。特に、ＬＴＥシステム１００は、ＭＴＣデバイス１２０Ａ−Ｎ、進化したノードＢ（ｅＮｏｄｅＢ）１０４、移動性管理エンティティ(ＭＭＥ)１０８、サービングゲートウェイ１１０、パケットデータネットワーク(ＰＤＮ)ゲートウェイ１１２、オペレータＩＰネットワーク１１４、及びホーム加入者ゲートウェイ(ＨＳＳ）１１６を含む。上記エンティティは、標準化されたインターフェース(ネットワークインターフェースとも称する)を通してお互いに接続される。例えば、ｅＮＢ１０４及びＭＭＥ１０８は、Ｓ１−ＭＭＥインターフェース１２２を通して接続される。また、ｅＮＢ１０４及びサービングゲートウェイ１１０は、Ｓ１−Ｕインターフェース１１８を通して接続される。また、サービングゲートウェイ１１０は、Ｓ１１インターフェース１２４及びＳ５／Ｓ８インターフェース１２０の各々を通してＭＭＥ１０８及びＰＤＮゲートウェイ１１２に接続される。例示のために、一つのｅＮｏｄｅＢだけが例示されている。しかしながら、当業者は、ＬＴＥシステム１００に一つより多くのｅＮｏｄｅＢが存在してもよいことを認識することができる。また、これらｅＮｏｄｅＢの各々は、ＭＴＣデバイス及び/またはレガシーデバイスをサポートするために構成される。
【００１１】
一実施形態によれば、ｅＮｏｄｅＢ１０４は、Ｓ１−Ｕインターフェース１１８を通して、単一Ｓ１−Ｕベアラ（single S1-U bearer）上で、一つ以上のＭＴＣデバイス１０２Ａ−Ｎからパケットデータユニット(ＰＤＵ)を効率的に送信するために動作可能なＰＤＵ連接モジュール１０６を含む。ＰＤＵ連接モジュール１０６は、ＧＰＲＳトンネルプロトコル(ＧＴＰ)ＰＤＵで、単一ＭＴＣデバイス１０２ＡまたはＭＴＣデバイス１０２Ａ−Ｎのグループから受信されたＰＤＵを連接させることもできる。一部の実施形態で、ＭＭＥ１０８は、Ｓ１−Ｕインターフェースにおける負荷状態に基づいてＭＴＣデバイス１０２ＡまたはＭＴＣデバイス１０２Ａ−Ｎのグループと関連づけられたＰＤＵを記憶するようにＰＤＵ連接モジュール１０６に命令することもできる。これら実施形態で、ＰＤＵ連接モジュール１０６は、ＭＴＣデバイス１０２Ａ−Ｎから受信されたＰＤＵを集積し、連接されたＰＤＵをＧＴＰ ＰＤＵに連接させる。その後、ＰＤＵ連接モジュール１０６は、連接されたＰＤＵを含むＧＴＰ ＰＤＵをＳ１−Ｕインターフェース１１８を通して、単一Ｓ１−Ｕベアラ上でサービングゲートウェイ１１０に送信する。アップリンクでＰＤＵ連接モジュール１０６により遂行された処理ステップが図３により詳細に説明されている。
【００１２】
ＰＤＵ連接モジュール１０６がｅＮｏｄｅＢに常駐することを図１が例示しているが、サービングゲートウェイ１１０及びＰＤＮゲートウェイ１１２もＰＤＵ連接モジュール１０６を有しうることを考えることができる。例えば、ＰＤＵ連接モジュール１０６がサービングゲートウェイ１１０に常駐する時、ＰＤＵ連接モジュール１０６は、ＧＴＰ ＰＤＵで、一つ以上のＭＴＣデバイス１０２Ａ−Ｎに対し、意図されたＰＤＵを連接させ、その連接されたＰＤＵを含むＧＴＰ ＰＤＵを単一Ｓ５ベアラ上でダウンリンクでｅＮｏｄｅＢ１０４に送信する。ＰＤＵ連接モジュール１０６は、ＰＤＵを連接させ、ＭＭＥ１０８からの過負荷表示に基づいてその連接されたＰＤＵを送信する。ＰＤＵ連接モジュール１０６がＰＤＮゲートウェイ１１２に常駐する時、同一の機能がＰＤＮゲートウェイ１１２で遂行されることができる。ダウンリンクでＰＤＵ連接モジュール１０６により遂行された処理ステップが図４により詳細に説明されている。
【００１３】
図２は、一実施形態による呼出確立手続きの間に集積ＰＤＵ表示を通知する例示的な方法を例示するフローチャート２００である。ステップ２０２で、ＭＴＣデバイス１０２Ａは、ＭＴＣデバイス１０２ＡとｅＮｏｄｅＢ１０４との間のランダムアクセス手続きの完了時にノンアクセスストラタム(ＮＡＳ）サービス要請をｅＮｏｄｅＢ１０４に送信する。ステップ２０４で、ｅＮｏｄｅＢ１０４は、ＮＡＳサービス要請を含む初期ＵＥメッセージ及びｅＮｏｄｅ−ＭＴＣデバイスシグナルリング接続識別子をＭＭＥ１０８に伝送する。
【００１４】
ステップ２０６で、ＭＭＥ１０８は、ＭＭＥ−ＭＴＣデバイスシグナルリング接続ＩＤ、保安コンテキスト、能力情報、及び集積されたＰＤＵ表示を示す初期コンテキストセットアップ要請メッセージをｅＮｏｄｅＢ１０４に伝送する。一実施形態で、ｅＮｏｄｅＢ１０４は、Ｓ１−Ｕインターフェースが過負荷になり、ＰＤＥが初期コンテキストセットアップメッセージでの集積されたＰＤＵ表示に基づいて集積される必要があることを認知するようになる。
【００１５】
ステップ２０８で、ｅＮｏｄｅＢ１０４は、無線ベアラセットアップを含むＮＡＳメッセージをＭＴＣデバイス１０２Ａに送信する。ステップ２１０で、ＭＴＣデバイス１０２Ａは、無線ベアラセットアップに応答して無線ベアラセットアップ完了メッセージをｅＮｏｄｅＢ１０４に送信する。ステップ２１２で、ｅＮｏｄｅＢ１０４は、アップリンク方向でＰＤＵ集積を示す初期コンテキストセットアップ完了メッセージを伝送する。
【００１６】
図３は、一実施形態によるアップリンク方向で一つ以上のマシンタイプ通信(ＭＴＣ)デバイス１０２Ａ−Ｎと関連づけられたＰＤＵを送信する例示的な方法を例示する処理フローチャート３００である。ステップ３０２で、ＰＤＵがＭＴＣデバイス１０２Ａ−Ｎのグループに属するＭＴＣデバイス１０２Ａ−Ｎから受信される。ＭＴＣデバイス１０２Ａ−Ｎは、ＰＤＵを連接させるＭＭＥ１０８によりグループ化される。ＭＴＣデバイスのグループに属するＭＴＣデバイス１０２Ａ−Ｎには、ｅＮｏｄｅＢ１０４が、グループに属する一つ以上のＭＴＣデバイス１０２Ａ−Ｎから受信されたＰＤＵを識別することができるようにＭＭＥ１０８によりグループ識別子が割り当てられる。または、ＭＴＣデバイス１０２Ａ−Ｎのグループが自体的に存在する時、既存のグループに割り当てられたグループ識別子はＰＤＵを連接させるために使用される。
【００１７】
ステップ３０４で、ＭＴＣデバイス１０２Ａ−Ｎから受信されたＰＤＵは、ｅＮｏｄｅＢ１０４のメモリに記憶される。一部の実施形態で、Ｓ１−Ｕインターフェース１１８が過負荷になること、または過負荷になるかもしれないことを示す通知が図２に例示されているように、呼出確立手続きの間にＭＭＥ１０８から受信される。これら実施形態で、ＭＴＣデバイス１０２Ａ−Ｎから受信されたＰＤＵは、Ｓ１−Ｕインターフェース１１８が過負荷になるために、メモリに一時的に記憶される。または、ｅＮｏｄｅＢ１０４は、ＰＤＵがｅＮｏｄｅＢ１０４で集積されることを示す通知をＭＭＥ１０８に伝送することができる。また、ＰＤＵは、所定のサイズのＰＤＵが満たされるか、またはＳ１−Ｕインターフェース１１８が送信に自由になるまでの所定の期間の間に集積される。例えば、所定のサイズの集積されたＰＤＵは、ＧＴＰ ＰＤＵのペイロードサイズの全体サイズ以下である。
【００１８】
ステップ３０６で、集積されたＰＤＵは、単一ＧＴＰ ＰＤＵに連接される。集積されたＰＤＵは、ＧＴＰペイロードに連接され、集積されたＰＤＵ表示、集積されたＰＤＵの数及び集積されたＰＤＵ各々の長さのような情報がＧＴＰ ＰＤＵのＧＴＰヘッダでエンコーディングされる。ステップ３０８で、連接されたＰＤＵを含むＧＴＰ ＰＤＵは、Ｓ１−Ｕインターフェース１１８を通して、単一Ｓ１−Ｕベアラ上で、サービングゲートウェイ１１０に送信される。一実施形態で、連接されたＰＤＵを含むＧＴＰ ＰＤＵは、Ｓ１−Ｕインターフェース１１８に過負荷が存在しない時、サービングゲートウェイ１１０に送信される。ＭＭＥ１０８は、Ｓ１−Ｕインターフェース１１８に過負荷が存在しない時、ＧＴＰ ＰＤＵがＳ１−Ｕインターフェース１１８を通して、サービングゲートウェイ１１０に送信されることができることを示すことができる。したがって、サービングゲートウェイ１１０は、連接されたＰＤＵを含むＧＴＰ ＰＤＵをＳ５インターフェース１２０上でＰＤＮゲートウェイ１１２に送信する。
【００１９】
図４は、他の実施形態によるＳ１インターフェースを通してＭＴＣデバイス１０２Ａ−Ｎと関連づけられたＰＤＵを送信する例示的な方法を示す処理フローチャート４００である。ステップ４０２で、ＭＴＣデバイス１０２Ａ−Ｎのグループに属するＭＴＣデバイス１０２Ａ−Ｎと関連づけられたＰＤＵがサービングゲートウェイ１１０で集積される。ＰＤＮゲートウェイ１１２から受信されたＰＤＵは、Ｓ１−Ｕインターフェース１１８が過負荷になっているか過負荷であるという表示をＭＭＥ１０８から受信する時、サービングゲートウェイ１１０で集積される。
【００２０】
ステップ４０４で、集積されたＰＤＵはＧＴＰ ＰＤＵで連接され、集積されたＰＤＵ表示、集積されたＰＤＵの数及びＰＤＵ及びＧＴＰペイロード各々の長さを含むＧＴＰヘッダが集積されたＰＤＵを含む。ステップ４０６で、連接されたＰＤＵを含むＧＴＰ ＰＤＵは、Ｓ１−Ｕインターフェース１１８を通して、単一Ｓ１−Ｕベアラ上でｅＮｏｄｅＢ１０４に送信される。ＧＴＰ ＰＤＵの受信時に、ｅＮｏｄｅＢ１０４は、ＧＴＰペイロードから連接されたＰＤＵを得て、各々のＰＤＵをＭＴＣデバイス１０２Ａ−Ｎの各々に伝送する。
【００２１】
図５は、一実施形態による連接されたＰＤＵを含むＧＴＰ ＰＤＵのＧＴＰヘッダ５００の概略的表現を例示する。例示されているように、ＧＴＰヘッダは特定の拡張ヘッダに後続する次の拡張ヘッダのタイプを示す次の拡張ヘッダタイプフィールド５０２を含む。次の拡張タイプフィールド５０２は、下記の表１に提供されている下記の値のうち一つを示す。
【００２２】
【表１】
2013543331.tif 000003
【００２３】
一実施形態で、次の拡張ヘッダが連接されたＧＴＰ−Ｕ ＰＤＵヘッダである時、新たな拡張ヘッダタイプフィールド５０２が‘１１１０００００’を搬送することもできる。
【００２４】
図６は、一実施形態による連接されたＧＴＰ−Ｕ ＰＤＵＵヘッダ６００の概略的表現を例示する。図示されているように、ＧＴＰ−ＵＰＤＵヘッダ６００は、拡張ヘッダ長６０２、拡張ヘッダコンテンツフィールド６０４、及び次の拡張ヘッダフィールド６０６を含む。拡張ヘッダ長フィールド６０４は、連接されたＧＴＰ−Ｕ ＰＤＵヘッダ６００の長さを示すことができる。拡張ヘッダコンテンツフィールド６０４は、ＧＴＰペイロードでの連接されたＰＤＵの数及び連接されたＰＤＵ各々の長さを示すことができる。次の拡張ヘッダフィールド６０６は、連接されたＧＴＰ−Ｕ ＰＤＵヘッダ６００に後続する次の拡張ヘッダのタイプを示す。
【００２５】
図７は、本発明の実施形態を具現する多様なコンポーネントを図示するｅＮｏｄｅＢ１０４のブロック図を例示する。図７で、ｅＮｏｄｅＢ１０４は、プロセッサ７０２、メモリ７０４、読み出し専用メモリ（ＲＯＭ）７０６、トランシーバ７０８、及びバス７１０を含む。
【００２６】
ここで使用されているように、プロセッサ７０２は、マイクロプロセッサ、マイクロコントローラ、ＣＩＳＣマイクロプロセッサ（complex instruction set computing microprocessor）、ＲＩＳＣマイクロプロセッサ(reduced instruction set computing microprocessor)、ＶＬＩＷマイクロプロセッサ（very long instruction word microprocessor）、ＥＰＩＣマイクロプロセッサ(explicitly parallel instruction computing microprocessor）、グラフィックプロセッサ、デジタル信号プロセッサ、または任意の他のタイプのプロセシング回路のような任意のタイプの演算回路を意味するが、これに制限されない。プロセッサ７０２はまた、汎用またはプログラマブル可能論理回路またはアレイ、特定用途集積回路（ＡＳＩＣ）、シングルチップコンピュータ、スマートカードなどのような内蔵型コントローラを含むことができる。
【００２７】
メモリ７０４は、揮発性メモリ及び不揮発性メモリでも有り得る。メモリ７０４は、本発明の実施形態によって、一つ以上のＭＴＣデバイス１０２Ａ−Ｎから受信されたＰＤＵを集積し、集積されたＰＤＵを単一ＧＴＰ ＰＤＵに連接させるＰＤＵ連接モジュール１０８を含む。多様なコンピュータ読み出し可能な記憶媒体がメモリエレメントに記憶されてもよく、メモリエレメントからアクセスされるてもよい。メモリエレメントは、ＲＯＭ、ＲＡＭ、ＥＰＲＯＭ(erasable programmable read only memory)、ＥＥＰＲＯＭ(electrically erasable programmable read only memory)、ハードドライブ、メモリカードを処理する取り外し可能なメディアドライブ（removable media drive）、メモリスティック（登録商標）などのような、データ及びマシン読み出し可能な命令を記憶する任意の適合したメモリデバイスを含むことができる。
【００２８】
本発明の実施形態は、作業を遂行するか、抽象データタイプまたは低レベルハードウェアコンテキストを定義する関数、手続き、データ構造、及びアプリケーションプログラムを含むモジュールと共に具現されることができる。任意の上記言及した記憶媒体に記憶されたマシン読み出し可能な命令はプロセッサ７０２により実行されることもできる。例えば、コンピュータプログラムは、本発明の説明された実施形態の教示によって、一つ以上のＭＴＣデバイス１０２Ａ−Ｎから受信されたＰＤＵを集積し、集積されたＰＤＵを単一ＧＴＰ ＰＤＵに連接させることができるマシン読み出し可能な命令を含むことができる。一実施形態で、コンピュータプログラムは記憶媒体に含まれることもでき、その記憶媒体から不揮発性メモリにおけるハードドライブにローディングされることもできる。トランシーバ７０８は、連接されたＰＤＵを含むＧＴＰ ＰＤＵをＳ１−Ｕインターフェース１１８を通して、単一Ｓ１−Ｕベアラ上でサービングゲートウェイ１１０に送信するように構成される。
【００２９】
本発明は、特定の例示的な実施形態を参照して説明されたが、多様な実施形態及び変更が多様な実施形態のより広い思想及び範囲を逸脱することなく、これら実施形態に対して行われることができることは明らかである。また、ここに説明された多様なデバイス、モジュール、選択機、推定機などがハードウェア回路、例えば、相報型金属酸化膜半導体基盤論理回路(metal oxide semiconductor based logic circuitry)、ファームウェア、ソフトウェア及び／またはハードウェア、ファームウェア及び／またはマシン読み出し可能な媒体で具現されるソフトウェアの任意の組合を使用して可能になり動作されることもできる。例えば、多様な電気的構造及び方法がトランジスタ、論理ゲート及び特定用途向け集積回路のような電気回路を使用して具現されることができる。
【符号の説明】
【００３０】
１００  ＬＴＥシステム
１０２Ａ−Ｎ  ＭＴＣデバイス
１０４  進化したノードＢ（ｅＮｏｄｅＢ）
１０６  ＰＤＵ連接モジュール
１０８  移動性管理エンティティ(ＭＭＥ)
１１０  サービングゲートウェイ
１１２  パケットデータネットワーク(ＰＤＮ)ゲートウェイ
１１４  オペレータＩＰネットワーク
１１６  ホーム加入者ゲートウェイ(ＨＳＳ）
１１８  Ｓ１−Ｕインターフェース
１２０  Ｓ５／Ｓ８インターフェース
１２４  Ｓ１インターフェース
【図１】
2013543331.tif 000004
【図２】
2013543331.tif 000005
【図３】
2013543331.tif 000006
【図４】
2013543331.tif 000007
【図５】
2013543331.tif 000008
【図６】
2013543331.tif 000009
【図７】
2013543331.tif 000010
【国際調査報告】
2013543331.tif 000011
2013543331.tif 000012